(57)【要約】【課題】スライダのスライド移動時のクリック感を向上させることができるスライド操作型電気部品を提供すること。【解決手段】収納部１９を形成するケース２およびカバー３と、収納部内に配置され、係合突起を設けた一対の板バネ部５６を有するクリックバネ５と、収納部内にスライド移動可能に保持されると共に、一対の板バネ部５６の係合突起５７に係脱する一対の係脱部を有するスライダ４とを備え、スライダ４のスライド移動時に係合突起５７と係脱部とが係脱してクリックを発生させるスライド操作型電気部品において、一対の板バネ部５６の係合突起５７の裏側に、一対の板バネ部５６に弾性力を付与する一対の補助用板バネ部５３を有する補助バネ６を備えたことを特徴とする。【選択図】図２
2010033843.tif 000002
【特許請求の範囲】
【請求項１】
収納部を有するハウジングと、前記収納部内に配置され、係合突起を設けた一対の弾性片を有する弾性手段と、前記収納部内にスライド移動可能に保持されると共に、前記一対の弾性片の係合突起に係脱する一対の係脱部を有するスライダとを備え、前記スライダのスライド移動時に前記係合突起と前記係脱部とが係脱してクリックを発生させるスライド操作型電気部品において、
前記一対の弾性片の前記係合突起の裏側に、前記一対の弾性片に弾性力を付与する一対の補助用弾性片を有する補助弾性手段を備えたことを特徴とするスライド操作型電気部品。
【請求項２】
前記一対の弾性片は、板面を対向させた一対の板バネから構成され、前記一対の板バネの板面のそれぞれに係合突起を設けたことを特徴とする請求項１に記載のスライド操作型電気部品。
【請求項３】
前記スライダは、スライド移動方向に延在する凹部を有し、
前記一対の係脱部は、前記凹部の対向する内壁に設けられ、
前記一対の弾性片は、前記凹部の内側に前記係合突起をそれぞれ前記内壁側に向けて配置されたことを特徴とする請求項１または請求項２に記載のスライド操作型電気部品。
【請求項４】
前記一対の弾性片は金属製であり、
前記一対の係脱部は、前記凹部の内壁にスライド移動方向に所定間隔を空けて設けられた一対の係合凹部と、前記一対の係合凹部の間に配設された金属製の補強板とを有することを特徴とする請求項３に記載のスライド操作型電気部品。
【請求項５】
前記スライダは、スライド移動方向に延在する凹部と、前記凹部の内底面から上方に向けて突出する突出部とを有し、
前記一対の係脱部は、前記突出部の前記凹部の内壁に対向する面に設けられ、
前記一対の弾性片は、前記凹部の内側に前記係合突起をそれぞれ前記突出部側に向けて配置されたことを特徴とする請求項１または請求項２に記載のスライド操作型電気部品。
【請求項６】
前記一対の弾性片は金属製であり、
前記突出部に設けられた一対の係脱部は金属製であることを特徴とする請求項５に記載のスライド操作型電気部品。
【請求項７】
前記凹部の内側に配置された一対の補助用弾性片は、スライド移動方向に延在し、前記一対の補助用弾性片の底面は、中間部が両端部よりも高い位置にあることを特徴とする請求項３ないし請求項６のいずれかに記載のスライド操作型電気部品。
【請求項８】
前記一対の補助用弾性片は、前記一対の弾性片と同一の金属で形成され、前記一対の補助用弾性片の板厚は、前記一対の弾性片の板厚よりも厚いことを特徴とする請求項４または請求項６に記載のスライド操作型電気部品。
【発明の詳細な説明】
【技術分野】
【０００１】
本発明は、音楽プレーヤや携帯電話等の携帯機器に搭載されるスライド操作型電気部品に関する。
【背景技術】
【０００２】
従来、このようなスライド操作型電気部品として、操作部のスライド操作時にクリック感を付与するものが知られている（例えば、特許文献１参照）。このスライド操作型電気部品は、ハウジングと、ハウジング内をスライド移動するスライダと、スライダを挟んで平行に配置された一対の板バネとを備えて構成されている。スライド操作型電気部品においては、一対の板バネの対向面に係合突起が形成され、スライダの側面に複数の凹凸面が連続して形成されており、スライダの移動時にスライダに形成された凹凸面が一対の板バネの係合突起に係脱することにより、スライダにクリック感を付与している。
【特許文献１】特公平１−３９６０７号公報
【発明の開示】
【発明が解決しようとする課題】
【０００３】
しかしながら、特許文献１に記載のスライド操作型電気部品においては、一対の板バネによりクリック感を付与しているため、クリック感が弱くなるという問題があった。
【０００４】
本発明は、かかる点に鑑みてなされたものであり、スライダのスライド移動時のクリック感を向上させることができるスライド操作型電気部品を提供することを目的とする。
【課題を解決するための手段】
【０００５】
本発明のスライド操作型電気部品は、収納部を有するハウジングと、前記収納部内に配置され、係合突起を設けた一対の弾性片を有する弾性手段と、前記収納部内にスライド移動可能に保持されると共に、前記一対の弾性片の係合突起に係脱する一対の係脱部を有するスライダとを備え、前記スライダのスライド移動時に前記係合突起と前記係脱部とが係脱してクリックを発生させるスライド操作型電気部品において、前記一対の弾性片の前記係合突起の裏側に、前記一対の弾性片に弾性力を付与する一対の補助用弾性片を有する補助弾性手段を備えたことを特徴とする。
【０００６】
この構成によれば、一対の補助用弾性片により一対の弾性片に弾性力が付加されるので、スライダのスライド移動時のクリック感を向上させることができる。また、一対の弾性片の弾性力と一対の補助用弾性片の弾性力とによりクリックを発生させているため、弾性力の異なる複数種類の補助用弾性片を用意しておけば、一対の補助用弾性片を交換することにより、スライダのスライド移動時のクリック感を微調整することができる。
【０００７】
また本発明は、上記スライド操作型電気部品において、前記一対の弾性片は、板面を対向させた一対の板バネから構成され、前記一対の板バネの板面のそれぞれに係合突起を設けたことを特徴とする。
【０００８】
この構成によれば、安価な一対の板バネにより一対の弾性片を構成することができる。
【０００９】
また本発明は、上記スライド操作型電気部品において、前記スライダは、スライド移動方向に延在する凹部を有し、前記一対の係脱部は、前記凹部の対向する内壁に設けられ、前記一対の弾性片は、前記凹部の内側に前記係合突起をそれぞれ前記内壁側に向けて配置されたことを特徴とする。
【００１０】
この構成によれば、一対の弾性片がスライダの凹部の内側に配置されるため、部品構成を小型化することができるとともに、組付け性を向上させることができる。
【００１１】
また本発明は、上記スライド操作型電気部品において、前記一対の弾性片は金属製であり、前記一対の係脱部は、前記凹部の内壁にスライド移動方向に所定間隔を空けて設けられた一対の係合凹部と、前記一対の係合凹部の間に配設された金属製の補強板とを有することを特徴とする。
【００１２】
この構成によれば、係脱部が、一対の係合凹部と補強板とを有し、金属製の一対の弾性片と金属製の補強板とが係脱するため、スライダのスライド移動時の係脱部分が金属同士となり、耐久性を向上させることができる。
【００１３】
また本発明は、上記スライド操作型電気部品において、前記スライダは、スライド移動方向に延在する凹部と、前記凹部の内底面から上方に向けて突出する突出部とを有し、前記一対の係脱部は、前記突出部の前記凹部の内壁に対向する面に設けられ、前記一対の弾性片は、前記凹部の内側に前記係合突起をそれぞれ前記突出部側に向けて配置されたことを特徴とする。
【００１４】
この構成によれば、一対の弾性片がスライダの凹部の内側に配置されるため、部品構成を小型化することができるとともに、組付け性を向上させることができる。
【００１５】
また本発明は、上記スライド操作型電気部品において、前記一対の弾性片は金属製であり、前記突出部に設けられた一対の係脱部は金属製であることを特徴とする。
【００１６】
この構成によれば、金属製の一対の弾性片と突出部に設けられた金属製の一対の係脱部とが係脱するため、スライダのスライド移動時の係脱部分が金属同士となり、耐久性を向上させることができる。
【００１７】
また本発明は、上記スライド操作型電気部品において、前記凹部の内側に配置された一対の補助用弾性片は、スライド移動方向に延在し、前記一対の補助用弾性片の底面は、中間部が両端部よりも高い位置にあることを特徴とする。
【００１８】
この構成によれば、一対の補助用弾性片の底面の中間部が両端部よりも高い位置にあるため、一対の補助用弾性片の中間部がスライダの凹部の内底面よりも高い位置となるように一対の補助用弾性片を配置すれば、補助用弾性片の底面がスライダのスライド移動を妨げることがない。
【００１９】
また本発明は、上記スライド操作型電気部品において、前記一対の補助用弾性片は、前記一対の弾性片と同一の金属で形成され、前記一対の補助用弾性片の板厚は、前記一対の弾性片の板厚よりも厚いことを特徴とする。
【００２０】
この構成によれば、一対の弾性片と一対の補助用弾性片とを同一の金属で形成した場合に、一対の補助用弾性片の板厚を一対の弾性片の板厚よりも厚くすることにより、一対の弾性片に強い弾性力を付与することができる。
【発明の効果】
【００２１】
本発明によれば、スライダのスライド移動時のクリック感を向上させることができる。
【発明を実施するための最良の形態】
【００２２】
以下、本発明の第１の実施の形態について添付図面を参照して詳細に説明する。図１は、本発明の第１の実施の形態に係る上部を開放したスライド操作型電気部品の全体斜視図である。図２は、本発明の第１の実施の形態に係るスライド操作型電気部品の分解斜視図である。
【００２３】
図１および図２に示すように、スライド操作型電気部品１は、音楽プレーヤ等の図示しない基板に取り付けられて使用されるものであり、上面が開口されたケース２と、ケース２の開口に装着されて収納部１９を形成するカバー３と、操作部３４を有し、収納部１９にスライド移動可能に収納されるスライダ４と、スライダ４にクリック感を与える弾性手段としてのクリックバネ５と、クリックバネ５の弾性力を補助する補助弾性手段としての補助バネ６とを備えて構成されている。
【００２４】
ケース２は、上面が開口された直方体の箱形に形成され、スライダ４をスライド移動可能に保持している。ケース２の短手方向の両端部に位置する両側壁１１、１２は、スライダ４を両側からガイドしており、両側壁１１、１２のうち一方の側壁１１にはケース２外に操作部３４を露出させる凹部１５が形成されている。凹部１５は、側壁１１の長手方向に延在しており、スライダ４のスライド移動にともなう操作部３４の移動を許容している。また、両側壁１１、１２の長手方向の両端部には、カバー３を係止する係止突起１６が外面から外側に突出して形成されており、ケース２の四隅でカバー３を固定している。
【００２５】
ケース２の内底面には、長手方向の両端部に上方に向けて突出する一対の突部１７が形成され、この突部１７によりクリックバネ５および補助バネ６が前後左右に位置決めされてケース２の内底面に載置される。また、長手方向の両端部に位置する両側壁１３、１４には、切欠き部１８が形成されており、切欠き部１８の下面と突部１７の上面とが面一に連なっている。
【００２６】
また、ケース２には、長手方向に３つの端子２１、２２、２３が取り付けられており、端子２１、２２、２３の一端側がケース２内に露出され、端子２１、２２、２３の他端側がケース２外に露出される。中央に位置する端子２１の一端側は、ケース２内で２つに分岐しており、端子２１、２２、２３の接点部２５、２６、２７、２８が、側壁１２の内面に沿って長手方向に所定の間隔を空けて配置される（図３参照）。
【００２７】
スライダ４は、スライダ本体３１と、スライダ本体３１に連なる操作部３４と、スライダ本体３１および操作部３４に組み付けられた補強部材３２と、スライダ本体３１に取り付けられた摺動子３３とから構成されている。スライダ本体３１は、スライド移動方向に平行に延在する一対の摺動壁部３５、３６と、一対の摺動壁部３５、３６の下部同士を接続する平板部３７とを有し、一対の摺動壁部３５、３６と平板部３７とにより下方に凹となる凹部３８がスライド移動方向に延在するようになっている。
【００２８】
また、凹部３８を形成する一対の摺動壁部３５、３６の対向面にはスライド移動方向に所定の間隔を空けて一対の係合凹部４１、４２がそれぞれ形成されており、この係合凹部４１、４２に後述するクリックバネ５の係合突起５７が係合することによりスライダ本体３１の停止位置が規定される。また、平板部３７のスライド移動方向の両端部は、一対の摺動壁部３５、３６の両端部よりも内側になるように形成されており、一対の摺動壁部３５、３６がケース２の側壁１３、１４に当接したときに平板部３７が一対の突部１７に当接するのが防止される。
【００２９】
操作部３４は、摺動壁部３５に接続され、ケース２の側壁１１に形成された凹部１５を介してケース２外に露出される。補強部材３２は、金属板で形成され、操作部３４を補強するアーム板４５とアーム板４５に連なりスライダ本体３１を補強する断面Ｕ字状の補強板４６とから構成されている。補強部材３２は、アーム板４５が操作部３４内に挿入された形で埋設されると共に、補強板４６の対向壁の一部がスライダ本体３１の一対の係合凹部４１、４２の間から露出するようにインサート成形により組み付けられる。なお、本実施の形態では、一対の係合凹部４１、４２と、補強板４６とにより請求項に記載の係脱部を形成している。
【００３０】
摺動子３３は、導電性材料でスライド移動方向に延在するように形成されており、両端部には一対の摺動接点部４７、４８が形成されている。摺動子３３の中央部は、下部の一部が切り欠かれ、上部の一部が上方に突出するように形成されており、摺動壁部３６の外面に形成された摺動子３３の中央部の外形と相補形状に形成された取付溝５１に取り付けられる。
【００３１】
補助バネ６は、打ち抜き加工により環状に抜き出された金属板を折り曲げて形成され、スライド移動方向に平行に延在する一対の補助用板バネ部５３の板面を対向させた状態で両端部を断面Ｕ字状に連結して構成されている。つまり、一対の補助用板バネ部５３は一対の補助用弾性片となっている。また、補助バネ６は、クリックバネ５よりも厚みのある金属板で形成されており、クリックバネ５に強い弾性力を付加している。一対の補助用板バネ部５３の間隔は、ケース２の長手方向両端部に形成された一対の突部１７と同幅となっており、補助バネ６は両端部を一対の突部１７に嵌合させてケース２の内底面に載置される。このとき、一対の補助用板バネ部５３の連結部分には、製造過程で取り残されたバリ５４が延在方向に突出しているが、ケース２の長手方向に位置する側壁１３、１４に形成された切欠き部１８に収納される。
【００３２】
一対の補助用板バネ部５３の底面は、中間部が両端部よりも高い位置に位置しており、スライダ４の平板部３７の上方を横断するように中間部を浮かした状態で両端部にてケース２の内底面に載置される。一対の補助用板バネ部５３の中間部の下方には、スライダ４の平板部３７が位置しており、一対の補助用板バネ部５３の中間部の底面の高さは、平板部３７の上面に接触しない高さとなっている。
【００３３】
クリックバネ５は、補助バネ６と同様な金属板で、打ち抜き加工により環状に抜き出された金属板を折り曲げて形成され、スライド移動方向に平行に延在する一対の板バネ部５６の板面を対向させた状態で両端部を断面Ｕ字状に連結して構成されている。つまり、一対の板バネ部５６は一対の弾性片となっている。また、一対の板バネ部５６の中間部には、係合突起５７が外向きに形成されており、係合突起５７はスライダ４のスライド移動時に一対の摺動壁部３５、３６の対向面に形成された係脱部と係脱するようになっている。
【００３４】
クリックバネ５の一対の板バネ部５６の間隔は、補助バネ６よりも幅広であり、クリックバネ５は一対の板バネ部５６により補助バネ６および一対の突部１７を挟み込むようにしてケース２の内底面に載置される。これにより、クリックバネ５が撓むと補助バネ６により内側から弾性力が補助される。また、このとき、一対の板バネ部５６の連結部分は、一対の補助用板バネ部５３の連結部分の上部を覆っており、この連結部分には製造過程で取り残されたバリ５８が延在方向に突出しているが、ケース２の長手方向に位置する側壁１３、１４に形成された切欠き部１８に収納される。
【００３５】
一対の板バネ部５６の底面は、中間部が両端部よりも高い位置に位置しており、スライダ４の平板部３７の上方を横断するように中間部を浮かした状態でケース２の内底面に両端部にて載置される。このとき、一対の板バネ部５６の中間部の下方には、スライダ４の平板部３７が位置しており、一対の板バネ部５６の中間部の底面の高さは、平板部３７の上面に接触しない高さとなっている。このように、クリックバネ５および補助バネ６の底面がスライダ４の平板部３７に接触しないため、摩擦によりスライダ４のスライド移動が妨げられることが防止される。
【００３６】
そして、クリックバネ５は、内側に補助バネ６を位置させた状態で、スライダ４のスライド移動時に一対の板バネ部５６の係合突起５７が、一対の摺動壁部３５、３６に露出した補強板４６を介して一対の係合凹部４１、４２間を相対移動することによりクリック感を発生させている。
【００３７】
カバー３は、ケース２の上部に装着され、ケース２と共にスライダ４を収納する収納部１９を形成している。カバー３の四隅には、係止孔６１が形成されており、係止孔６１がケース２の四隅に形成された係止突起１６に係止されてカバー３がケース２の上面に装着される。また、カバー３の長手方向の両端部には、開口部６２が形成されており、この開口部６２からクリックバネ５の両端部の連結部分が露出する。これにより、カバー３およびケース２を薄く形成することが可能となる。
【００３８】
ここで、図２を参照して、スライド操作型電気部品の組み立て手順について説明する。なお、ケース２には複数の端子２１、２２、２３が既に取り付けられ、スライダ４には補強部材３２および摺動子３３が既に取り付けられているものとする。
【００３９】
まず、スライダ４の一対の摺動壁部３５、３６をケース２の側壁１１、１２の内面に沿わせてスライダ４をケース２の内底面に載置する。このとき、操作部３４がケース２の凹部１５を介して外部に突出されると共に、摺動子３３の摺動接点部４７、４８がケース２の側壁１２に接触する。
次に、補助バネ６を、スライダ４の凹部３８の延在方向に沿ってスライダ４を横断させると共に、両端部をケース２の一対の突部１７に嵌合させてケース２の内底面に載置する。
【００４０】
次に、クリックバネ５を、スライダ４の凹部３８の延在方向に沿ってスライダ４を横断させると共に、補助バネ６を左右から挟み込むようにしてケース２の内底面に載置する。このとき、一対の板バネ部５６の係合突起５７は、スライダ４の一対の摺動壁部３５、３６の対向面に形成された係合凹部４１、４２のいずれかに係合されることで、スライダ４のガタツキが防止される。
【００４１】
そして、カバー３の四隅に形成された係止孔６１を、ケース２の四隅に形成された係止突起１６に係止し、カバー３をケース２に装着する。このように、スライド操作型電気部品１は、ケース２に対し、スライダ４、補助バネ６、クリックバネ５、カバー３を下から順に載置するだけで、簡易に組み立てることが可能となっている。
【００４２】
次に、図３を参照して、スライド操作型電気部品の切換動作について説明する。図３は、上部を開放したスライド操作型電気部品の上面模式図である。
【００４３】
図３に示すように、スライダ４が図示右側に位置している場合には、摺動子３３の摺動接点部４７、４８が端子２２、２３の接点部２６、２８に接触しており、図示左側に位置する係合凹部４１がクリックバネ５の係合突起５７に接触している。このとき、クリックバネ５とクリックバネ５の内側に位置する補助バネ６との間に僅かに隙間が形成されており、クリックバネ５に補助バネ６から弾性力が補助されていない。
【００４４】
この状態から、操作部３４を用いてスライダ４を図示左側にスライド移動させると、摺動子３３の摺動接点部４７、４８が端子２２、２３の接点部２６、２８から外れ始め、係合突起５７が係合凹部４１に沿って押圧され、クリックバネ５が内側に撓んで補助バネ６に接触し始める。そして、スライダ４がケース２の長手方向の中間位置にスライド移動すると、摺動子３３の摺動接点部４７、４８が端子２２、２３の接点部２６、２８から完全に外れ、クリックバネ５および補助バネ６が弾性力に抗して内側に大きく撓んで係合突起５７が補強板４６に乗り上げる。
【００４５】
さらに、スライダ４が図示左側にスライド移動すると、摺動子３３の摺動接点部４７、４８が端子２１、２２の接点部２５、２７に接触し始め、係合突起５７が補強板４６から降り、クリックバネ５および補助バネ６が弾性力により外側に押し戻される。そして、スライダ４が図示左側に到達すると、摺動子３３の摺動接点部４７、４８が端子２１、２２の接点部２５、２７に完全に接触し、図示右側に位置する係合凹部４２がクリックバネ５の係合突起５７に接触する。このとき、クリックバネ５および補助バネ６は、弾性力により完全に押し戻され、クリックバネ５と補助バネ６との間に僅かな隙間が形成される。このように、クリックバネ５に対して補助バネ６により弾性力が付加されるため、スライダ４のスライド移動時に強いクリック感が得られるようになっている。
【００４６】
以上のように、本実施の形態に係るスライド操作型電気部品１によれば、補助バネ６によりクリックバネ５に弾性力が付加されるので、スライダ４のスライド移動時のクリック感を向上させることが可能となる。また、クリックバネ５の弾性力と補助バネ６の弾性力とによりクリックを発生させているため、弾性力の異なる複数種類の補助バネ６を用意しておけば、補助バネ６を交換することにより、スライダ４のスライド移動時のクリック感を微調整することが可能となる。
【００４７】
また、クリックバネ５の係合突起５７および補強板４６が共に金属製であるため、スライダ４のスライド移動時の係脱部分が金属同士となり、耐久性を向上させることが可能となる。
【００４８】
次に、本発明の第２の実施の形態について説明する。本発明の第２の実施の形態に係るスライド操作型電気部品は、上述した第１の実施の形態に係るスライド操作型電気部品とスライダの取り付け向きが異なることについてのみ相違する。したがって、特に相違点についてのみ説明する。
【００４９】
図４は、本発明の第２の実施の形態に係る上部を開放したスライド操作型電気部品の全体斜視図である。図５は、本発明の第２の実施の形態に係るスライド操作型電気部品の分解斜視図である。
【００５０】
図４および図５に示すように、スライド操作型電気部品７１は、ケース７２に補助バネ７６およびクリックバネ７５を載置した後に、上方からスライダ７４を載置している。補助バネ７６およびクリックバネ７５は、底面が面一に形成されており、補助バネ７６およびクリックバネ７５の底面が延在方向に亘ってケース７２の内底面に載置される。スライダ７４は、凹部７８を下方に向けた状態で補助バネ７６およびクリックバネ７５の上方からケース７２の内底面に載置される。このとき、凹部７８の上面は、補助バネ７６およびクリックバネ７５の上面の上方に位置している。このように、凹部７８の上面が、クリックバネ７５および補助バネ７６の上面に接触しないため、摩擦によりスライダ７４のスライド移動が妨げられることが防止される。
【００５１】
以上のように、本実施の形態に係るスライド操作型電気部品７１によれば、補助バネ７６およびクリックバネ７５の底面を面一に形成したため、補助バネ７６およびクリックバネ７５の構成を単純化することが可能となる。
【００５２】
なお、図６に示すスライド操作型電気部品８１のように操作部８２が上方に向けて延在する構成としてもよい。この場合、カバー８３に切欠き部８７を形成して、操作部８２をスライダ本体８４の上面から切欠き部８７を介して上方に突出するように形成する。この構成により、カバー８３の上面に対して垂直方向に操作部８２を設けることが可能となる。
【００５３】
次に、本発明の第３の実施の形態について説明する。本発明の第３の実施の形態に係るスライド操作型電気部品は、上述した第１の実施の形態に係るスライド操作型電気部品とクリックバネの内側で係脱することについてのみ相違する。したがって、特に相違点についてのみ説明する。
【００５４】
図７は、本発明の第３の実施の形態に係る上部を開放したスライド操作型電気部品の全体斜視図である。図８は、本発明の第３の実施の形態に係るスライド操作型電気部品の分解斜視図である。
【００５５】
図７および図８に示すように、ケース９２は、上面が開口された直方体の箱形に形成され、ケース９２の四隅には、カバー９３を位置決めする位置決め突起１０７が上面から上方に突出して形成されている。また、長手方向の両端部に位置する両側壁１０３、１０４には、カバー９３を係止する係止突起１０６が外面から外側に突出して形成されており、ケース９２の長手方向の両端部でカバー９３を固定している。
【００５６】
スライダ９４のスライダ本体１１１は、スライド移動方向に平行に延在する一対の摺動壁部１１５、１１６と、一対の摺動壁部１１５、１１６の下部同士を接続する平板部１１７とを有し、平板部１１７の中央には凹部１１８の内底面から上方に突出する島部１２１が形成されている。島部１２１の上面には、補強部材１１２に係合する係合溝１２２が形成され、島部１２１の四方には、平板部１１７を貫通する貫通孔１２３が形成されている。
【００５７】
補強部材１１２は、金属板で形成され、島部１２１のスライド移動方向に平行な両側面を補強する一対の補強板１２５と、一対の補強板１２５を連結する連結部１２６とから構成されている。また、各補強板１２５には、平板部１１７に形成された貫通孔１２３に差し込まれる差込部１２７が形成されており、この差込部１２７が貫通孔１２３に差し込まれることにより補強部材１１２がスライダ本体１１１上で位置決めされる。よって、補強部材１１２は、連結部１２６が島部１２１の係合溝１２２に係合されると共に、差込部１２７が貫通孔１２３に差し込まれることで、スライダ本体１１１に位置決めされて固定される。なお、本実施の形態では、島部１２１により請求項に記載の突出部を形成し、島部１２１と、補強板１２５とにより請求項に記載の係脱部を形成している。
【００５８】
補助バネ９６は、打ち抜き加工により環状に抜き出された金属板を折り曲げて形成され、スライド移動方向に平行に延在する一対の補助用板バネ部１３３の板面を対向させた状態で両端部を断面Ｕ字状に連結して構成されている。一対の補助用板バネ部１３３の間隔は、島部１２１よりも幅広であり、補助バネ９６は島部１２１を挟み込むようにしてケース９２の内底面に載置される。また、一対の補助用板バネ部１３３の連結部分には、クリックバネ９５の幅方向を位置決めする一対の位置決め用板部１３４が板面を対向するように折り曲げられて形成されている。この構成により、クリックバネ９５は補助バネ９６の内側に、一対の補助用板バネ部１３３に対して僅かに隙間を空けた状態で保持される。
【００５９】
一対の補助用板バネ部１３３の底面は、中間部が両端部よりも高い位置に位置しており、スライダ９４の平板部１１７の上方を横断するように中間部を浮かした状態でケース９２の内底面に載置される。一対の補助用板バネ部１３３の中間部の下方には、スライダ９４の平板部１１７が位置しており、一対の補助用板バネ部１３３の中間部の底面の高さは、平板部１１７の上面に接触しない高さとなっている。
【００６０】
クリックバネ９５は、補助バネ９６と同様な金属板で、打ち抜き加工により環状に抜き出された金属板を折り曲げて形成され、スライド移動方向に平行に延在する一対の板バネ部１３６の板面を対向させた状態で片側の端部を断面Ｕ字状に連結して構成されている。また、一対の板バネ部１３６の中間部には、係合突起１３７が内向き形成されており、係合突起１３７はスライダ９４のスライド移動時にスライダ本体１１１の中央に形成された係脱部と係脱するようになっている。
【００６１】
クリックバネ９５の一対の板バネ部１３６の間隔は、補助バネ９６よりも幅狭であり、一対の位置決め用板部１３４よりも幅広になっており、クリックバネ９５は一対の板バネ部１３６により一対の位置決め用板部１３４を挟み込むようにして補助バネ９６の内側に載置される。これにより、クリックバネ９５は補助バネ９６により内側から弾性力が補助される。
【００６２】
一対の板バネ部１３６の底面は、中間部が両端部よりも高い位置に位置しており、スライダ９４の平板部１１７の上方を横断するように中間部を浮かした状態で補助バネ９６上に載置される。このとき、一対の板バネ部１３６の中間部の下方には、スライダ９４の平板部１１７が位置しており、一対の板バネ部１３６の中間部の底面の高さは、平板部１１７の上面に接触しない高さとなっている。このように、クリックバネ９５および補助バネ９６の底面がスライダ９４の平板部１１７に接触しないため、摩擦によりスライダ９４のスライド移動が妨げられることが防止される。
【００６３】
そして、クリックバネ９５は、外側に補助バネ９６を位置させた状態で、スライダ９４のスライド移動時に、一対の板バネ部１３６の係合突起１３７が島部１２１を挟んで相対移動することにより、島部１２１に係合された補強板１２５と係脱することでクリック感を発生させている。
【００６４】
カバー９３は、ケース９２の上部に装着され、ケース９２とともにスライダ９４を収納する収納部１０９を形成している。カバー９３の四隅は、切り欠かれており、ケース９２の四隅に形成された位置決め突起１０７に位置決めされる。また、カバー９３の長手方向の両端部に一対の係止孔１３９が形成されており、係止孔１３９がケース９２に形成された係止突起１０６に係止されてカバー９３がケース９２の上面に装着される。
【００６５】
以上のように、本実施の形態に係るスライド操作型電気部品９１によれば、クリックバネ９５の係合突起１３７が内向きに形成された場合であっても、スライダ９４のスライド移動時のクリック感を向上させることが可能となる。また、クリックバネ９５の弾性力と補助バネ９６の弾性力とによりクリックを発生させているため、弾性力の異なる複数種類の補助バネ９６を用意しておけば、補助バネ９６を交換することにより、スライダ９４のスライド移動時のクリック感を微調整することが可能となる。
【００６６】
また、クリックバネ９５の係合突起１３７および補強板１２５が共に金属製であるため、スライダのスライド移動時の係脱部分が金属同士となり、耐久性を向上させることが可能となる。
【００６７】
なお、上記した各実施の形態においては、クリックバネの一対の板バネ部が連結して構成されているが、一対の板バネ部を分離して構成してもよい。また、クリックバネと同様に補助バネの一対の補助用板バネ部を分離して構成してもよい。
【００６８】
また、上記した各実施の形態においては、補助バネの板厚をクリックバネの板厚よりも厚く形成したが、補助バネの板厚をクリックバネの板厚よりも薄く形成してもよいし、同一の厚みとしてもよい。
【００６９】
また、上記した各実施の形態においては、クリックバネおよび補強板を金属製としたが、耐摩擦性を有する強化プラスチックにより構成してもよい。また、クリックバネと補助バネとを同一の金属製としたが、異なる材質で形成してもよい。
【００７０】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００７１】
以上説明したように、本発明は、スライダのスライド移動時のクリック感を向上させることができるという効果を有し、特に音楽プレーヤや携帯電話等の携帯機器に搭載されるスライド操作型電気部品に有用である。
【図面の簡単な説明】
【００７２】
【図１】本発明に係るスライド操作型電気部品の第１の実施の形態を示す図であり、上部を開放したスライド操作型電気部品の全体斜視図である。
【図２】本発明に係るスライド操作型電気部品の第１の実施の形態を示す図であり、スライド操作型電気部品の分解斜視図である。
【図３】本発明に係るスライド操作型電気部品の第１の実施の形態を示す図であり、上部を開放したスライド操作型電気部品の上面模式図である。
【図４】本発明に係るスライド操作型電気部品の第２の実施の形態を示す図であり、上部を開放したスライド操作型電気部品の全体斜視図である。
【図５】本発明に係るスライド操作型電気部品の第２の実施の形態を示す図であり、スライド操作型電気部品の分解斜視図である。
【図６】本発明に係るスライド操作型電気部品の変形例を示す図である。
【図７】本発明に係るスライド操作型電気部品の第３の実施の形態を示す図であり、上部を開放したスライド操作型電気部品の全体斜視図である。
【図８】本発明に係るスライド操作型電気部品の第３の実施の形態を示す図であり、スライド操作型電気部品の分解斜視図である。
【符号の説明】
【００７３】
１、７１、８１、９１  スライド操作型電気部品
２、７２、９２  ケース（ハウジング）
３、８３、９３  カバー（ハウジング）
４、７４、９４  スライダ
５、７５、９５  クリックバネ（弾性手段）
６、７６、９６  補助バネ（補助弾性手段）
３１、８４、１１１  スライダ本体
３２、１１２  補強部材
３４、８２  操作部
３５、３６、１１５、１１６  摺動壁部
３７、１１７  平板部
３８、７８、１１８  凹部
４１、４２  係合凹部
４５  アーム板
４６、１２５  補強板
５３、１３３  補助用板バネ部（弾性片）
５６、１３６  板バネ部（補助用弾性片）
５７、１３７  係合突起
１２１  島部（突出部）
【図１】
2010033843.tif 000003
【図２】
2010033843.tif 000004
【図３】
2010033843.tif 000005
【図４】
2010033843.tif 000006
【図５】
2010033843.tif 000007
【図６】
2010033843.tif 000008
【図７】
2010033843.tif 000009
【図８】
2010033843.tif 000010